【事件の表示】
　特許第３０６１３２３号「ディスク記録再生装置の記録再生制御回路」の請求項３に係る特許に対する特許異議の申立てについて、次のとおり決定する。
【結　論】
　訂正を認める。
　特許第３０６１３２３号の請求項３に係る特許を維持する。
【理　由】
１．手続の経緯
　特許第３０６１３２３号の請求項１〜３に係る発明は、平成４年４月２７日に特許出願され、平成１２年４月２８日にその特許権の設定登録がなされ、その後、村戸良至より請求項３に係る発明に対して特許異議の申し立てがなされ、取り消しの理由が通知され、その指定期間内である平成１３年７月１６日に訂正請求がなされたものである。
　
２．訂正の適否についての判断
（１）訂正の内容
ａ．特許請求の範囲の請求項３の記載について、「ディスクからの再生データから編集データを検出する編集データ検出手段」とあるのを、「ディスクからの再生データから、有効データの終端に先行して、該有効データの終端を示す編集データを検出する編集データ検出手段」と訂正する。
ｂ．特許請求の範囲の請求項３の記載について、「前記編集データに応じ前記メモリへの再生用圧縮音声データの記憶を制限する記憶データ制限手段」とあるのを、「前記編集データに応じ前記メモリへの再生用圧縮音声データの記憶を前記有効データの終端で停止させる記憶データ制限手段」と訂正する。
ｃ．明細書の第８段落の記載について、「ディスクからの再生データから編集データを検出する編集データ検出手段」とあるのを、「ディスクからの再生データから、有効データの終端に先行して、該有効データの終端を示す編集データを検出する編集データ検出手段」と訂正する。
ｄ．明細書の第８段落の記載について、「前記編集データに応じ前記メモリへの再生用圧縮音声データの記憶を制限する記憶データ制限手段」とあるのを、「前記編集データに応じ前記メモリへの再生用圧縮音声データの記憶を前記有効データの終端で停止させる記憶データ制限手段」と訂正する。
　
（２）訂正の目的の適否、新規事項の有無及び拡張・変更の存在
　上記訂正事項ａは、発明を特定する事項である「ディスクからの再生データから編集データを検出する編集データ検出手段」を、これに含まれる事項である「ディスクからの再生データから、有効データの終端に先行して、該有効データの終端を示す編集データを検出する編集データ検出手段」に変更し、しかも「ディスクからの再生データから、有効データの終端に先行して、該有効データの終端を示す編集データを検出する編集データ検出手段」については、願書に添付された明細書の第２６、２７段落に記載されているから、特許請求の範囲の減縮を目的とした明細書の訂正に該当する。
　また、上記訂正事項ｂは、発明を特定する事項である「前記編集データに応じ前記メモリへの再生用圧縮音声データの記憶を制限する記憶データ制限手段」を、これに含まれる事項である「前記編集データに応じ前記メモリへの再生用圧縮音声データの記憶を前記有効データの終端で停止させる記憶データ制限手段」に変更し、しかも「前記編集データに応じ前記メモリへの再生用圧縮音声データの記憶を前記有効データの終端で停止させる記憶データ制限手段」については、願書に添付された明細書の第２７、２８段落に記載されているから、特許請求の範囲の減縮を目的とした明細書の訂正に該当する。
　また、上記訂正事項ｃ、ｄは、上記訂正事項ａ、ｂと整合を図るものであるから、明瞭でない記載の釈明を目的とした明細書の訂正に該当する。
　したがって、上記訂正事項ａ〜ｄは、いずれも、新規事項の追加に該当せず、実質的に特許請求の範囲を拡張又は変更するものではない。
　
（３）むすび
　したがって、上記訂正は、特許法第１２０条の４第２項及び同条第３項で準用する第１２６条第２項及び第３項の規定に適合するので、当該訂正を認める。
　
３．特許異議申立についての判断
（１）申し立ての理由の概要
　申立人村戸良至は、請求項３に係る発明は、甲第１号証（特開平４−１０５２７３号公報）、甲第２号証（応用MS-DOS改訂新版）、及び文献Ａ（特開昭５７−１１７１６７号公報）をもとに容易に発明をすることができたものであり、特許法第２９条第２項の規定により、特許を受けることができないものであるから、特許を取り消すべきと主張している。
　
（２）本件の請求項３に係る発明
　上記２．で示したように上記訂正が認められるから、本件の請求項３に係る発明（以下、「本件発明」という）は、上記訂正請求に係る訂正明細書の特許請求の範囲の請求項３に記載された事項により特定される以下のとおりのものである。
「ディスクより再生用音声データを間欠再生する再生手段と、
  前記再生用音声データをメモリに高速で記憶させ出力用圧縮音声データを所定のブロック単位で順次読み出すデータ記憶読出手段と、
  前記出力用圧縮音声データを入力しデータ伸長した出力用音声データを音声出力手段に供給するデータ伸長手段とを、
　それぞれ配して成るディスク再生装置に於て、
  ディスクからの再生データから、有効データの終端に先行して、該有効データの終端を示す編集データを検出する編集データ検出手段と、
  該編集データ検出手段によって検出された前記編集データに応じ前記メモリへの再生用圧縮音声データの記憶を前記有効データの終端で停止させる記憶データ制限手段とを、
  それぞれ配して成るディスク再生装置の再生制御回路。」
　
（３）刊行物等
　特許異議申立人が証拠として提示した刊行物には、それぞれ、以下のような発明が記載されている。
刊行物１：特開平４−１０５２７３号公報（甲第１号証）
　この第７頁左下欄第２行〜第８頁右上欄第１５行及び第１図には、ディスクからオーディオデータを、正規の転送速度より早い転送速度で再生し、再生データを前記の早い転送速度でバースト的にメモリに書き込み、前記メモリからデータを連続的に読み出してＡＤＰＣＭデコーダで伸長する、ディスク再生装置の発明が記載されている。
　
刊行物２：応用MS-DOS改訂新版
　この第４２頁には、ディスクからのファイルの読み出しは、いったんシステム上のバッファにセクタ単位で読み込んでから、指定されたバイト数だけユーザープログラム中のバッファへ転送する発明が記載されている。
　
刊行物３：特開昭５７−１１７１６７号公報（文献Ａ）
　この第３頁右上欄第７行〜左下欄第１６行には、メモリからレコード単位でデータを読み出す際に、特定アドレスの特定コードを検出して、このレコード単位が最終データを含むものかを判断し、最終データを含むと判断されたら、その冒頭アドレスから順にデータチェックを行い、特定コードを検出した直前のデータ終了アドレス迄のデータを転送する発明が記載されている。
　
（４）対比、判断
　本件発明と上記刊行物１〜３に記載の発明とを対比すると、上記刊行物１〜３に記載の発明は、本件発明を特定する事項である「有効データの終端に先行して、該有効データの終端を示す編集データを検出」する事項を備えておらず、当該事項により本件発明は、ブロック内のデータを順次チェックすることなく、メモリへの書き込む制限を行うことができるという顕著な効果を奏するものであり、本件発明が上記刊行物１〜３に記載のものから容易に発明をすることができたものとは言えない。
　
（５）むすび
　以上のとおりであるから、特許異議申立の理由及び証拠によっては、本件請求項３に係る特許を取り消すことができない。
　また、他に本件請求項３に係る特許を取り消すべき理由を発見しない。
　よって、結論のとおり決定する。
【異議決定日】
平成１３年９月６日（２００１．９．６）
【訂正の要旨】
訂正の要旨
ａ．特許請求の範囲の減縮を目的として、特許請求の範囲の請求項３の「ディスクからの再生データから編集データを検出する編集データ検出手段」とあるのを、「ディスクからの再生データから、有効データの終端に先行して、該有効データの終端を示す編集データを検出する編集データ検出手段」と訂正する。
ｂ．特許請求の範囲の減縮を目的として、特許請求の範囲の請求項３の「前記編集データに応じ前記メモリヘの再生用圧縮音声データの記憶を制限する記憶データ制限手段」とあるのを、「前記編集データに応じ前記メモリヘの再生用圧縮音声データの記憶を前記有効データの終端で停止させる記憶データ制限手段」と訂正する。
ｃ．明瞭でない記載の釈明を目的として、訂正後の特許請求の範囲と発明の詳細な説明の記載とが対応するように、発明の詳細な説明の段落［０００８］の「ディスクからの再生データから編集データを検出する編集データ検出手段」とあるのを、「ディスクからの再生データから、有効データの終端に先行して、該有効データの終端を示す編集データを検出する編集データ検出手段」と訂正する。
ｄ．明瞭でない記載の釈明を目的として、訂正後の特許請求の範囲と発明の詳細な説明の記載とが対応するように、発明の詳細な説明の段落［０００８］の［前記編集データに応じ前記メモリヘの再生用圧縮音声データの記憶を制限する記憶データ制限手段」とあるのを、「前記編集データに応じ前記メモリヘの再生用圧縮音声データの記憶を前記有効データの終端で停止させる記憶データ制限手段」と訂正する。
（５４）【発明の名称】
ディスク記録再生装置の記録再生制御回路
（５７）【特許請求の範囲】
　【請求項１】　音声入力手段より得られる入力音声データをデータ圧縮して入力用圧縮音声データを発生するデータ圧縮手段と、
前記入力用圧縮音声データをメモリに順次記憶させ、該メモリに蓄積された記録単位分の記録用音声データを高速で読み出すデータ記憶読出手段と、
前記記録単位分毎に記録用音声データをディスクに間欠記録する記録手段とを、それぞれ配して成るディスク記録装置に於て、
未記録な音声データを記録単位とするためのミュート音声情報を生成するミュート手段と、
記録停止の設定に連動し前記ミュート手段を作動させるミュート指令手段と、
前記記録手段に対しミュート音声情報が含まれる記録単位の記録用圧縮音声データより後の記録用圧縮音声データの記録を禁止させる記録禁止手段とを、
それぞれ配して成るディスク記録装置の記録制御回路。
　【請求項２】　音声入力手段より得られる入力音声データをデータ圧縮して入力用圧縮音声データを発生するデータ圧縮手段と、
前記入力用圧縮音声データを所定のブロック単位でメモリに順次記憶させ、該メモリに蓄積された記録単位分の記録用音声データを高速で読み出すデータ記憶読出手段と、
前記記録単位分毎に記録用音声データをディスクに間欠記録する記録手段とを、それぞれ配して成るディスク記録装置に於て、
記録停止又は記録ポーズの設定に連動し、前記記録手段に対し前記設定時の音声情報が含まれる記録単位の記録用圧縮音声データより後の記録用圧縮音声データの記録を禁止させる記録禁止手段と、
前記設定時に対応する前記記録用圧縮音声データのブロック位置を検出する編集データ作成手段と、
該編集データ作成手段の出力である編集データを該当する間欠記録トラックの記録用音声圧縮データに多重し前記記録手段へ供給するデータ多重手段とを、
それぞれ配して成るディスク記録装置の記録制御回路。
　【請求項３】　ディスクより再生用音声データを間欠再生する再生手段と、
前記再生用音声データをメモリに高速で記憶させ出力用圧縮音声データを所定のブロック単位で順次読み出すデータ記憶読出手段と、
前記出力用圧縮音声データを入力しデータ伸長した出力用音声データを音声出力手段に供給するデータ伸長手段とを、
それぞれ配して成るディスク再生装置に於て、
ディスクからの再生データから
、有効データの終端に先行して、該有効データの終端を示す
該編集データ検出手段によって検出された前記編集データに応じ前記メモリヘの再生用圧縮音声データの記憶を
前記有効データの終端で停止させる
それぞれ配して成るディスク再生装置の再生制御回路。
【発明の詳細な説明】
　【０００１】
　【産業上の利用分野】この発明は光ディスクに情報を記録、再生する装置に関するもので、特に、記録状態からストップあるいはポーズ状態としたときのメモリ制御を行う回路に関するものである。
　【０００２】
　【従来の技術】日経マグロウヒル社発行の日経エレクトロニクス１９９１年１２月９日号の第１５５頁〜１６８頁には「ミニディスク製品化へ始動，先行するＤＣＣを追う」と題してミニディスクシステムと称する新たなオーディオシステムが開示されている。
　【０００３】このミニディスクシステムは記録に際して、左右２チャネルの約２秒分の音声信号をディジタル化したのちデータ圧縮を行う。それによって生成された圧縮データをメモリに記憶させ、メモリに所定の記録単位（１クラスタ）が記憶されたタイミングでディスクヘの記録を行う。このようにディスクヘの記録動作は前記記録単位分の圧縮データがメモリに記憶されたタイミングで行われるため間欠的となる。
　【０００４】このようなメモリを利用した記録方法によると、ディスクヘの記録動作が間欠的となるため、ディスクに対し記録ミスが生じたときにも次の記録動作が行われる前に、再記録動作を行うように制御することができ、記録データの途切れを防止することができる。また、再生時において、再生ミスが生じても再再生を行うよう制御することができるので再生音の途切れを防止することができる。
　【０００５】
　【発明が解決しようとする課題】上述した記録方法において、記録の停止あるいはポーズの設定を行ったとき、メモリ内にはディスクに未記録で前記設定以前に記憶された音声データが存在している。ディスクヘのデータ記録は前述した１クラスタという単位毎に行っており、前記設定時でその単位分の音声データがメモリに記憶されていないと、ディスクヘの記録を行うことができず、未記録の音声データは記録されないままシステムは停止状態となってしまう。
　【０００６】この発明はこのような問題点に鑑みて為されたもので、記録停止あるいはポーズ設定時にメモリに存在する未記録の音声データをディスクに記録する記録装置を提供し、また、前記記録装置によってディスクに記録された音声データを再生する再生装置を提供するものである。
　【０００７】
　【課題を解決するための手段】本発明は、記録時に記録停止が設定されると入力用音声データをミュートするミュート手段と、記録停止の設定に連動し前記ミュート手段を作動させるミュート指令手段と、記録手段に対しミュート音声情報が含まれる記録単位の記録用圧縮音声データより後の記録用圧縮音声データの記録を禁止させる記録禁止手段とを具備することを第一の特徴とする。
　【０００８】また、記録時に記録停止又は記録ポーズの設定に連動し、記録手段に対し前記設定時の音声情報が含まれる記録単位の記録用圧縮音声データより後の記録用圧縮音声データの記録を禁止させる記録禁止手段と、前記設定時に対応する前記記録用圧縮音声データのブロック位置を検出する編集データ作成手段と、　該編集データ作成手段の出力である編集データを該当する間欠記録トラックの記録用音声圧縮データに多重し前記記録手段へ供給するデータ多重手段とを具備し、再生時には、ディスクからの再生データから
、有効データの終端に先行して、該有効データの終端を示す
前記有効データの終端で停止させる
　【０００９】
　【作用】記録時に記録停止又は記録ポーズが設定されたときに、メモリに記憶されディスクに未記録の記録用音声データをディスクヘ記録することができる。また、所定の記録単位内での有効なデータと無効なデータとを識別し、有効なデータのみを再生することができる。
　【００１０】
　【実施例】以下、本発明の一実施例について説明する。図１は、本実施例の記録時における概略構成を図示する機能ブロック図である。以下の説明ではまずこのシステムの通常の記録動作を図１を基にして行う。まず記録に際して、２チャンネルの音声信号は音声入力手段１に含まれるＡ／Ｄ変換器によりコンパクトディスクと同じクロック周波数でサンプリングされ、入力用音声データに変換される。入力用音声データはデータ圧縮手段３ａに供給され、約１／５のデータ量にデータ圧縮される。そして、サウンドグループ（４２４バイト）単位で入力用圧縮音声データとしてデータ記憶読出手段４に供給される。
　【００１１】データ記憶読出手段４は、前記入力用圧縮音声データを記憶アドレス発生回路４０が発生する記憶アドレスに従い、前記サウンドグループ単位でメモリＭに記憶させる。データ記憶読出手段４にはこの他に、読出アドレス発生回路４２とデータ量検出回路４１を備えており、データ量検出回路４１は記憶アドレス発生回路４０と読出アドレス発生回路４２の出力の差分からメモリＭのデータ量を検出している。データ量検出手段４１の出力はシステムコントローラ８内でソフトウエアで構成されている記録指令手段８１に供給される。データ量検出回路４１の出力が上述した１クラスタとなったとき、記録指令手段８１はサーチ手段６へ記録指令を送出する。すると、サーチ手段６は読出アドレス発生回路４２に対し記録用データ読出指令を供給する。その結果、メモリＭから１クラスタの記録用音声データの読み出しが開始され、読み出されたデータは記録手段５ａへ送出される。また、サーチ手段６は記録手段５ａに対しても記録動作を開始するよう指令し、送出されてきた前記１クラスタ分の記録用音声データは記録手段５ａ内のＣＤ−ＲＯＭエンコーダとＣＤ−ＤＡエンコーダにより所定のエンコード処理が行われたのち、記録用磁気ヘッドへ供給されディスクに記録される。通常の記録はこのような動作を繰り返すことで行われる。
　【００１２】次に、本実施例の再生動作を図３を基にして説明する。本実施例の場合、ディスクの記録データの再生は再生手段５ｂによって２セクタ単位で実行される。セクタと呼ばれる単位について説明すると、１セクタは上記サウンドグループと比較すると１１サウンドグループに相当し、また、前記クラスタと比較すると１クラスタは３６セクタに相当するものである。前述のように再生手段５ｂはディスクの記録データを前記２セクタ単位で再生し、その再生データを再生手段５ｂ内のＣＤ−ＲＯＭデコーダとＣＤ−ＤＡデコーダによって順次デコード処理をする。このような処理から生成された再生用音声データは前記データ記憶読出手段４へ入力される。この再生用音声データがデータ記憶読出手段４に入力されると共に、記憶アドレス発生回路４０は記憶アドレスを発生し、前記再生用音声データはその発生された記憶アドレスに従いメモリＭに記憶させる。
　【００１３】メモリＭに記憶された前記再生用音声データは、読出アドレス発生回路４２が発生した読出アドレスに従い、サウンドグループ単位で出力用圧縮音声データとして逐次読み出される。そして、データ伸長手段３ｂへ送出され、データ伸長された後、音声出力手段２へ送出され音声出力手段２に含まれるＤ／Ａ変換器によってアナログ化された後、スピーカ等によって放音される。
　【００１４】なお、前述の再生手段５ｂによるディスクからのデータの読み出しは以下に説明するタイミングで行われる。前述したようにデータ量検出回路４１は、メモリＭに記憶されているデータ量をシステムコントローラ８内の再生指令手段８２に供給している。再生指令手段８２はメモリＭの空き容量が前述のディスクからの読出単位である２セクタ以上になったとき、サーチ手段６に対し再生指令を送出する。すると、サーチ手段６は再生手段５ｂに再生動作を行うよう指令し、上述のように再生手段５ｂによってディスクから前記２セクタのデータの再生が行われる。このような動作を繰り返されることで通常の再生が行われる。
　【００１５】上述する記録と再生の動作は、全てが公知とはなっていないがＭＤシステムとして通常の構成であり、本実施例の特徴は以下の点にある。すなわち、記録中にストップあるいはポーズ設定時に直ちに記録停止を行わず、メモリＭに記憶されディスクに未記録のデータをディスクヘ記録した後に、システムは停止あるいはポーズ状態とする。このような記録方法として、以下２つの実施例を説明する。
　【００１６】まず、図１を基にして最初の実施例を説明する。システムが記録動作中に操作者は、操作部９に含まれるストップキーを操作した。通常のシステムにおいてはストップキー操作ののち、直ちに電源供給が停止されるが、本発明においては直ちに電源供給が停止されない。システムコントローラ８内でソフトウエアで構成されている記録指令手段８１とミュート指令手段８０は上記キー操作を検出する。このうちミュート指令手段８０は上記キー操作を検出すると、ミュート手段７に対しミュート指令を発する。その結果、ミュート手段７は音声入力手段１から入力される入力用音声データを０レベルにする。上記キー操作ののちも、メモリＭへの入力用圧縮音声データの記憶は継続されており、そのミュートされたデータは上記キーの操作前にメモリＭに記憶されていた入力用圧縮音声データに続いてメモリＭに記憶される。キー操作が為された時点ではメモリＭのデータ量は１クラスタよりも少ないが、ミュートされた入力用音声データが継続して記憶されるので、そのデータ量は徐々に１クラスタに近づく。
　【００１７】一方、記録指令手段８１はデータ量検出手段４１の出力すなわちメモリＭのデータ量を入力し、そのデータ量を常に監視している。そして、そのデータ量が上述の１クラスタとなったときサーチ手段６へ記録指令を送出する。その結果、サーチ手段６は読出アドレス発生手段４２に対し読出指令を発生し、読出アドレス発生手段４２は読出アドレスを発生する。すると、メモリＭのミュート音声データを含む１クラスタの記憶データは記録用音声データとして記録手段５ａへ供給され、ディスクヘ記録される。記録指令手段８１はストップキーが操作されたのち、ミュート音声データを含んだ１クラスタのデータを記録するための記録指令を１回限り送出する。このような記録処理の後にシステムは電源供給が消勢され停止状態となる。
　【００１８】このようにストップキーが操作された後に、直ちに電源供給が停止されるのではなく、メモリＭに記憶されていた音声データにミュート音声データを加え１クラスタのデータが形成されたときディスクヘ記録動作を行うので、ディスクに未記録のデータを全てディスクに記録することができる。さて、記録の停止が為された後、再び操作部９に含まれる記録キーを操作し記録を再開した。すると、音声入力手段１に入力された音声信号は、データ圧縮手段３ａにおいて上述したような処理が行われた後、データ記録読出手段４によってメモリＭに記憶される。記録アドレス発生回路４０と読出アドレス発生回路４２は前述の記録停止によってリセットされており、この記録再開で再びセット状態となり記憶アドレス、読出アドレスとも初期アドレスを示している。従って、データ圧縮手段３ａによって生成された入力用圧縮データは記憶アドレスが指し示している初期アドレスから記憶される。
　【００１９】このように、本実施例では記録停止から再び記録を再開したとき、記録再開後に入力された音声データのみによって１クラスタのデータを形成する。この他の方法として、記録停止時において前述のミュート音声データを加え１クラスタの記録データを形成した記録データをディスクより読み出し、そのミュート音声データが記録された部分から記録を再開することもできる。しかし、これではディスクのデータの管理とそのデータサーチが難しいという問題があり、本実施例では上述のような記録再開方法を採用するものである。
　【００２０】次に２つ目の実施例について図２を基にして説明する。まず、図５によってディスクヘの記録単位である１クラスタの記録データの構造を説明する。図５のように本実施例のディスクヘの記録単位である１クラスタのデータは、３セクタのリンクセクタと１セクタの制御セクタ及び３２セクタの圧縮音声データ用セクタの計３６セクタで構成されている。圧縮音声データ用セクタはその名の通り圧縮音声データを記憶するものである。リンクセクタは記録手段５ａに含まれるＣＤ−ＤＡエンコーダによるインターリーブ処理に伴い生じるデータオーバーフローを防止するマージンエリアである。制御セクタは，後述するように有効なセクタ、サウンドグループ番号を再生時の制御用データに記録するものである。
　【００２１】上述の説明と同様に、記録中に操作部９に含まれるストップキーを操作した。この場合も直ちにシステムは停止せずメモリＭに１クラスタのデータが記憶されるまで、メモリＭの記録用音声データの記憶を継続させる。編集データ作成手段１０はストップキーが入力されたことを検出すると、データ量検出手段４１からメモリＭのデータ量を入力する。この時点でメモリＭに記憶されていたデータは有効なデータであり再生時において再生されなければならない。これに対して、ストップキー操作後に入力された記録用音声データは無効なデータであり、再生時には再生されるべきではない。本実施例では、有効なデータに続いて無効なデータを加え合わせて記録単位である１クラスタのデータを形成し、ディスクヘ記録することになる、再生時においてこの１クラスタのデータのうちどこまでが有効なデータかを識別できるような制御データを作成し、この記録単位の制御セクタに多重する。そして、再生時にはその制御データを基にした再生を行う。
　【００２２】そのため編集データ作成手段１０は上述したように上記キー操作時のデータ量検出手段４１の出力を入力し、そのデータ量から前記有効データが格納されるセクタ及びサウンドグループを検出する。図５からも分かるように１クラスタは３２の圧縮音声データ用セクタがあり、そのセクタには５．５のサウンドグループがある。したがって、データ量検出手段４１の出力から前記有効データがどのセクタ、サウンドグループまでに記憶されるかを編集データ作成手段１０は検出するものである。１セクタは２３３２バイト、１サウンドグループが４２４バイトであることから前記有効データが記憶される最終のセクタ及びサウンドグループは容易に演算できる。このように検出された最後の有効セクタ及びサウンドグループの番号情報は間欠トラックに多重すべく多重データとしてデータ多重手段５０へ送出される。
　【００２３】データ多重手段５０はその多重データを図５に示したように制御セクタに多重する。図５には制御データに多重するデータの例を示す。最初のビットであるＢ１はそのクラスタ内の全セクタが有効かどうかを示し、０であれば全セクタが有効、１であれば無効セクタがあることを示す。次のＢ２〜Ｂ６の５ビットは最後の有効セクタの番号を示す。１クラスタのデータ内で圧縮音声データを記憶するのは３２セクタ存在するので５ビット必要である。最後のＢ７〜Ｂ９の３ビットは有効サウンドグループを示す。１セクタのサウンドグループは５．５存在するので３ビット必要となる。なお、請求項２で記述したブロックとは本実施例ではサウンドグループを意味している。
　【００２４】さて、本実施例においてはストップキーあるいはポーズキーを操作しても、直ちにストップあるいはポーズ状態とはならない。すなわち、メモリＭへの圧縮音声データの記憶量が１クラスタになるまで記憶を継続させる。そして、１クラスタのデータが記憶されたことを記録指令手段８１が検知すると、サーチ手段６へ記録指令を送出する。すると、サーチ手段６は読出アドレス発生手段４２に対し読出指令を送出し、メモリＭから１クラスタの記録用音声データが記録手段５ａへ供給される６上述のデータ多重手段５０は供給された１クラスタの記録用音声データに対して、有効セクタ、サウンドグループデータ番号を前述の制御セクタの位置に多重する。そして、その多重データに対し図４に示すＣＤ−ＲＯＭエンコーダ５１とＣＤ−ＤＡエンコーダ５２によって所定のエンコード処理が行われた後、記録ヘッド５３に供給され、ディスクヘ１クラスタの記録データとして記録される。このような処理の後に記録動作は終了する。操作されたのがストップキーである場合にはその後電源消勢が行われる。ポーズキーを操作した場合には消費電力の低減を考慮して電源消勢を行ってもよいが、記録再開後の応答性を考慮して電源消勢を行わなくてもよい。
　【００２５】なお、以上説明した例ではストップキーあるいはポーズキーを操作後、直ちに記録の停止を行わず、メモリＭに１クラスタの入力用圧縮データが記憶された時点で、ディスクに対し記録動作を行ったのち停止するものとした。しかし、記録時において上記キーの操作後にメモリＭに記憶されたデータは、再生時には再生されない無効なデータである。従って、無効なデータ範囲にはどんなデータが記録されても構わない。そこで、メモリＭへのデータの記憶停止は上記キーの操作後すぐに行うものとし、無効なデータ範囲にはダミーデータを記憶させることもできる。
　【００２６】次にこのように有効なセクタ及びサウンドグループデータを多重された記録データを再生する例について図３を基にして説明する。操作部９に含まれる再生キーを操作しディスクに記録されているデータを再生する。再生キーの操作を検知した再生指令手段８３はサーチ手段６に対し再生指令を送出する。すると、サーチ手段６は再生手段５ｂにディスクからデータを読み出させると共に、記憶アドレス発生手段４０に対しても記憶指令を送出する。その結果、図４の光ピックアップ５４によってディスクの所望の間欠トラックから、２セクタ単位でデータを読み出す。そして、ＣＤ−ＤＡデコーダ５５によってデコード処理が行われた後、編集データ検出手段１１によって制御セクタに記録されている制御データを検出する。その制御データには上述のように有効なセクタ、サウンドグループデータが書き込まれており、編集データ検出手段１１はそれを検出するとサーチ手段６へその結果を出力する。サーチ手段６はそのデータを基にして有効なデータ範囲を特定する。
　【００２７】その制御データのうち最初のビットが０であれば、その１クラスタの再生は通常に２セクタ毎のデータの読み出しを繰り返し、その１クラスタのデータ全てをメモリＭに記憶させる。しかし、同ビットが１の場合にはその１クラスタには無効なセクタが存在するので、編集データ検出手段１１により有効のセクタ、サウンドグループの最終番号を取得し、それをサーチ手段６に送出する。すると、サーチ手段６は有効なサウンドグループのみがメモリＭに記憶させるように制御を行う。例えば、そのデータから取得された有効セクタの最終番号を図５の例に記すように３、有効サウンドグループの最終番号を４とする。この場合には、上述のように編集データ検出手段１１によって有効データの最終番号を検出すると、上述のようにサーチ手段６は有効なデータ範囲を特定する。まず、最初の２セクタは有効なデータ範囲なので通常にメモリＭに再生データを記憶する。
　【００２８】しかし、次の２セクタの再生では、その最初のセクタの４番目のサウンドグループまでが有効となるので、ディスクからは通常に２セクタ読出されるが、サーチ手段６によって有効サウンドグループが全てメモリＭに記憶された時点で記憶アドレス発生手段４０のアドレス発生を停止し、無効な範囲のデータはメモリＭに記憶しないように制限する。このような処理によって、有効サウンドグループの再生用音声データのみがメモリＭに記憶されることになり、無効な再生用音声データは記憶されない。従って、以下のデータ伸長手段３ｂによってデータ伸長及び音声出力手段２による音声出力は有効なデータのみにしか行われない。なお、編集データとは、記録中に記録停止または記録ポーズの設定がされた時点における圧縮音声データのブロック位置に関するデータであり、間欠記録トラックの記録用圧縮音声データに多重して記録手段５ａに供給されるデータを言う。
　【００２９】
　【発明の効果】記録時に記録停止又は記録ポーズが設定されたときに、メモリに記憶されディスクに未記録の記録用音声データをディスクヘ記録することができ、記録音声の欠落を防ぐことができる。また、所定の記録単位内での有効なデータと無効なデータとを識別し、有効なデータのみを再生することができる。
【図面の簡単な説明】
　【図１】本発明の記録動作の一実施例を説明した図である。
　【図２】本発明の記録動作の一実施例を説明した図である。
　【図３】本発明の再生動作の一実施例を説明した図である。
　【図４】本発明の記録、再生動作を行う手段の詳細図である。
　【図５】本発明の記録データのフォーマットを説明した図である。
　【符号の説明】
Ｍ　メモリ
４　記憶読出手段
７　ミュート手段
８　システムコントローラ
１０　編集データ作成手段
１１　編集データ検出手段